(57)【要約】【課題】  光ファイバケーブルから中間後分岐した光ファイバの接続の切り替えを確実に行うとともに、良好な切り替え作業性を得る。【解決手段】  本発明の中間後分岐用クロージャ１０は、光ファイバ心線の余長を収納するドロップトレイ２１と、光ファイバ心線の接続を切り替えるためのＭＴコネクタを収納するＭＴトレイとを備えた切り替え接続用収納部２３を有する。【選択図】    図１
2005114831.tif 000002
【特許請求の範囲】
【請求項１】
光ファイバケーブルの中間後分岐に用いられるクロージャであって、
光ファイバの余長を収納する余長収納トレイと、光ファイバの接続を切り替えるための切り替え接続部を収納する切り替え接続部収納トレイとを、少なくとも一組備えた切り替え接続用収納部を有することを特徴とする中間後分岐用クロージャ。
【請求項２】
請求項１に記載の中間後分岐用クロージャであって、
前記余長収納トレイと前記切り替え接続部収納トレイとが、層状に連結されていることを特徴とする中間後分岐用クロージャ。
【請求項３】
請求項２に記載の中間後分岐用クロージャであって、
前記切り替え接続部収納トレイが、前記余長収納トレイに対して上層に設けられていることを特徴とする中間後分岐用クロージャ。
【請求項４】
請求項２または３に記載の中間後分岐用クロージャであって、
前記切り替え接続部収納トレイが、前記余長収納トレイに対して回転して開閉可能であることを特徴とする中間後分岐用クロージャ。
【請求項５】
請求項４に記載の中間後分岐用クロージャであって、
前記光ファイバケーブルのスロットロッドを、前記切り替え接続部収納トレイが開閉する箇所から離反する方向に湾曲させるように固定するスロット固定部が設けられていることを特徴とする中間後分岐用クロージャ。
【請求項６】
請求項１〜５の何れか１項に記載の中間後分岐用クロージャであって、
前記余長収納トレイは、光ファイバの接続部を固定する接続部固定部を着脱できる、接続部固定部用取り付け部が複数箇所に設けられていることを特徴とする中間後分岐用クロージャ。
【請求項７】
請求項１〜６の何れか１項に記載の中間後分岐用クロージャであって、
前記切り替え接続用収納部の下側に、開閉可能な収納トレイが設けられていることを特徴とする中間後分岐用クロージャ。
【請求項８】
請求項７に記載の中間後分岐用クロージャであって、
前記収納トレイは、回転して開閉可能であることを特徴とする中間後分岐用クロージャ。
【請求項９】
請求項７に記載の中間後分岐用クロージャであって、
前記収納トレイは、スライドして開閉可能であることを特徴とする中間後分岐用クロージャ。
【発明の詳細な説明】
【技術分野】
【０００１】
本発明は、幹線系の光ファイバケーブルを中間後分岐する際に用いられる中間後分岐用クロージャに関する。
【背景技術】
【０００２】
従来、光ファイバを収容局から加入者側のビル等に配線するための基幹となる光通信路として、多心光ファイバケーブルが架空や地下等の屋外、または屋内に敷設されている。また、光通信路の線路設計により、多心光ファイバケーブル同士を接続したり、または１本の多心光ファイバケーブルを複数の光ファイバケーブルへ分岐させて接続することが多く行われており、特に架空や地下等の屋外環境での接続箇所には、防水性等を考慮してその接続点を保護したり光ファイバの余長処理を行ったりするためのクロージャが設けられている。
また、近年では、インターネットのさらなる普及に伴い、一般家庭への光ファイバの引き込みの要求が増大しており、幹線系の多心光ファイバケーブルから１心または２心等の少数心の光ファイバを分岐させることが行われている。
【０００３】
光ファイバケーブルを分岐するには、例えば、ＳＺスロット型の光ファイバケーブルの外被を部分的に除去して、スロットロッドを切断せずにスロット溝に収容された光ファイバを取り出し、他の光ファイバと接続させる方法が用いられている。この分岐方法は、一般に中間後分岐と呼ばれている。
このような中間後分岐の箇所には、種々の形態のクロージャが用いられている（例えば、特許文献１参照。）。
【０００４】
図１２に、従来の中間後分岐用クロージャの一例を示す。すでに敷設されている光ファイバケーブル１０１の任意の箇所において、光ファイバケーブル１０１の外被を一定長さ（６０センチメートル）除去し光ファイバ心線収容スロット１０１ａを出現させた状態とし、その光ファイバ心線収容スロット１０１ａ内から任意の光ファイバ心線１０１ｃを取り出して、その中央で切断して、光ファイバ分岐ケーブル１２１又は１２２の光ファイバ心線１２１ｃ又は１２２ｃとそれぞれ接続させる。この光ファイバケーブル１０１と光ファイバ分岐ケーブル１２１，１２２の光ファイバ心線接続部１０３は、光ファイバ心線接続収納部としての光ファイバ心線接続部収納トレイ１０８の中に、その余長と共に収容される。これら光ファイバケーブル１０１と分岐ケーブル１２１，１２２は、外被を除去した部分の長手方向両端側が、それぞれケーブル把持部１０５でクランプされ、分岐ケーブル１２１，１２２のテンションメンバ１２３，１２４がケーブルテンションメンバ把持部１０６でクランプされ、各々が連結金具１０７に固定されている。これら全体が中間後分岐接続クロージャケース１０４（長さ８０センチメートル）内に収容され、防水又は防滴の構造とされている。
【０００５】
【特許文献１】特開２００２−８２２３２号公報（図３）
【発明の開示】
【発明が解決しようとする課題】
【０００６】
ところで、中間後分岐を行う際に、幹線系の光ファイバケーブルのスロットロッドから引き出される光ファイバの長さは限られており、収納トレイ等の内部を配線できる長さは短い。特に、引き出した光ファイバの中央部分を切断して、切断された双方の光ファイバを他の光ファイバと接続する（これを両側接続と呼ぶ）場合には、配線のために使用できる長さが短くなってしまう。
また、光ファイバケーブルから引き出される光ファイバがテープ心線である場合には、さらにそのテープ心線を分岐して所望の光ファイバを取り出さなければならない。その場合には、さらに光ファイバの配線長さが短くなってしまう。
【０００７】
そのため、一旦中間後分岐して引き落とし用のドロップ型光ファイバケーブル等に接続した光ファイバの接続を切り替えたい場合には、切り替えを行おうとする光ファイバを再びクロージャの収納トレイ内から取り出すことが難しい状況にあった。また、収納トレイから光ファイバを取り出すことができた場合でも、再接続するために要する長さを得ることが難しく、光ファイバの再配線を行うことができなかった。
【０００８】
本発明の目的は、光ファイバケーブルから中間後分岐した光ファイバの接続の切り替えを確実に行うことができ、良好な切り替え作業性を得ることのできる中間後分岐用クロージャを提供することにある。
【課題を解決するための手段】
【０００９】
上記目的を達成することのできる本発明に係る中間後分岐用クロージャは、光ファイバケーブルの中間後分岐に用いられるクロージャであって、光ファイバの余長を収納する余長収納トレイと、光ファイバの接続を切り替えるための切り替え接続部を収納する切り替え接続部収納トレイとを、少なくとも一組備えた切り替え接続用収納部を有することを特徴としている。
【００１０】
このような構成の中間後分岐用クロージャは、光ファイバの余長を収納する部分（余長収納トレイ）と、切り替え接続部を収納する部分（切り替え接続部収納トレイ）とを分けた構成としているため、接続の切り替えを行う際には、光ファイバの再配線を行わずに、切り替え接続部収納トレイにおいて切り替え接続部を切り替えることができる。したがって、中間後分岐した光ファイバの切り替え作業が容易である。また、光ファイバの余長部分を引き出す必要がないため、確実に接続の切り替えを行うことができる。
なお、本明細書中の光ファイバは、単心の光ファイバ心線または複数心の光ファイバテープ心線の形態をなすものを、配線の目的に合わせて用いると良い。
【００１１】
また、本発明の中間後分岐用クロージャにおいて、余長収納トレイと切り替え接続部収納トレイとが、層状に連結されていることが好ましい。その場合、切り替え接続部収納トレイが、余長収納トレイに対して上層に設けられていると良い。
【００１２】
また、切り替え接続部収納トレイが、余長収納トレイに対して回転して開閉可能であることが好ましい。その場合、光ファイバケーブルのスロットロッドを、切り替え接続部収納トレイが開閉する箇所から離反する方向に湾曲させるように固定するスロット固定部が設けられていると良い。
【００１３】
また、本発明の中間後分岐用クロージャにおいて、余長収納トレイは、光ファイバの接続部を固定する接続部固定部を着脱できる、接続部固定部用取り付け部が複数箇所に設けられていることが好ましい。
【００１４】
また、本発明の中間後分岐用クロージャにおいて、切り替え接続用収納部の下側に、開閉可能な収納トレイが設けられていることが好ましい。また、収納トレイは、回転して開閉可能であるか、またはスライドして開閉可能であることが好ましい。
【発明の効果】
【００１５】
本発明の中間後分岐用クロージャによれば、光ファイバケーブルから中間後分岐した光ファイバの接続の切り替えを確実に行うことができ、良好な切り替え作業性を得ることができる。
【発明を実施するための最良の形態】
【００１６】
以下、本発明に係る中間後分岐用クロージャの実施の形態の例を、図面を参照しつつ説明する。
図１に、本実施形態の中間後分岐用クロージャ（以下、クロージャと呼ぶ）１０の斜視図を示す。図１に示すように、クロージャ１０は、長手方向に対称な構造をなしており、中央に配置されたベース板１１に対して、両端側にフレームエンド１２が取り付けられ、さらにその外側にはクロージャ１０を吊り線（図示せず）に固定して吊るすための吊り金具１５が取り付けられている。
【００１７】
また、フレームエンド１２には、クロージャ１０内に導入される幹線系の光ファイバケーブル１及び分岐用光ファイバケーブル３を把持する外被把持具１３や、分岐用光ファイバケーブル３のＴＭ（テンションメンバ）を固定する分岐ＴＭ固定部１７が取り付けられている。また、このフレームエンド１２には、吊り金具１５の吊り金具ロッド１６が固定されている。
【００１８】
また、クロージャ１０には、両側の外被把持具１３を含む領域を覆うスリーブ（図示せず）が取り付けられるが、その長手方向の両端部分を気密に封止する部材として、端面シール１４が設けられる。この端面シール１４は、中央部分に縦方向のスリットが形成されており、吊り金具ロッド１６とフレームエンド１２との間をそのスリットで挟み込むように取り付けられる。また、端面シール１４は、クロージャ１０内に導入される各種の光ファイバケーブル１，３，４を挟み込むかあるいは挿通させて、クロージャ１０の内部を、外部から防水及び防塵する。
【００１９】
クロージャ１０内に導入される幹線系の光ファイバケーブル１は、本実施形態ではクロージャ１０によって中間後分岐されるケーブルであって、所謂ＳＺケーブルと呼ばれる、スロット型の多心光ファイバケーブルが好適に使用される。ＳＺケーブルとは、スロットロッド２に形成された光ファイバを収納するための溝が、長手方向に沿って交互に反転した螺旋状となっているものである。この光ファイバケーブル１は、クロージャ１０を取り付けるにあたって、外被やスロットロッド２の周囲に巻かれた上巻きテープが所望の長さ（例えば１０５０ｍｍ）だけ除去される。そして、スロットロッド２が露出した部分から光ファイバテープ心線が取り出される。ここで取り出された光ファイバテープ心線は、例えばその取り出した中央部分を切断した後、単心の光ファイバ心線に分離されて、ベース板１１の上方や下方に配線される。光ファイバ心線をベース板１１の下方に配線する際には、ベース板１１に形成された配線穴１９を通すと良い。
【００２０】
この光ファイバケーブル１は、露出したスロットロッド２のほぼ中央部分が、ベース板１１に立設された固定バー２０に、着脱可能な結束タイ等により結束される。また、スロットロッド２が露出した部分の両側の外被が、外被把持具１３に把持されて固定される。さらに、上記スリーブにより覆われる境界部分が、端面シール１４によって、気密に封止される。
このように、光ファイバケーブル１は、クロージャ１０内を通過するように配置される。
【００２１】
また、分岐用光ファイバケーブル３は、幹線系の光ファイバケーブル１より心数の少ないＳＺケーブル等を用いることができる。この分岐用光ファイバケーブル３は、端面から外被等を除去してスロットロッドを露出させ、光ファイバを引き出す。さらに、スロットロッドの先端部分でテンションメンバを露出させて、分岐ＴＭ把持具１７によってテンションメンバを把持して固定する。
この分岐用光ファイバケーブル３から引き出された光ファイバは、ベース板１１に形成された配線穴１９を通してベース板１１の下方に配線される。
【００２２】
さらに、クロージャ１０から中間後分岐されて各加入者宅等に引き落とされる光ファイバケーブル（ドロップケーブル）４を、端面シール１４に挿通させることができる。このドロップケーブル４は、単心の光ファイバ心線を内蔵したものを好適に用いることができ、端面シール１４を挿通させた端部の外被を除去して、その光ファイバ心線を露出させる。露出された光ファイバ心線は、ベース板１１の上方に配線され、残された外被の端部は、ベース板１１の上面に設けられたドロップ把持具１８によって把持される。
【００２３】
幹線用の光ファイバケーブル１や引き落とし用のドロップケーブル４の光ファイバ心線は、ベース板１１の上面に取り付けられた切り替え接続用収納部２３に収納される。図２に、切り替え接続用収納部の上面図を示す。図１及び図２に示すように、切り替え接続用収納部２３は、ドロップトレイ（余長収納トレイ）２１とＭＴトレイ（切り替え接続部収納トレイ）２２とを備えている。
【００２４】
ドロップトレイ２１は、長方形の薄板状のプレートに枠２７が設けられた筐体であって、プラスチックまたは金属により形成されている。枠２７によって画成された余長収納部２８は、導入した光ファイバ心線を収納するためのスペースである。収納された光ファイバ心線の余長は、光ファイバ心線を融着接続する際の作業性を確保するものである。
また、枠２７には、内側に向かって水平方向に形成された複数組の取り付け板（接続部固定部用取り付け部）２４が設けられており、この取り付け板２４に接続部固定部２５が取り付けられる。光ファイバ心線の融着接続を行った場合には、取り付け板２４に取り付けられた接続部固定部２５にその融着接続部が固定される。
【００２５】
接続部固定部２５は、板状の部材に互いに平行に形成された複数のリブ２５ａが立設された構成であり、このリブ２５ａの間にそれぞれ融着固定部を嵌め込んで固定することができる。接続部固定部２５は、図３にその正面図を示すように、下方の面に、外側に屈曲した一組の鉤部２６が形成されており、一組の取り付け板２４の間にこの鉤部２６をスライドさせることで着脱可能に取り付けることができる。
【００２６】
ドロップトレイ２１の一方の枠２７の外側には、ＭＴトレイ２２が装着されている。ドロップトレイ２１とＭＴトレイ２２とは、ヒンジ３３を介して連結され、ドロップトレイ２１に対してＭＴトレイ２２が回転して開閉することができる。図１には、手前側のＭＴトレイ２２は開いた状態を示し、奥側のＭＴトレイ２２は閉じた状態を示している。ヒンジ３３には、これらの開閉状態において、その位置を維持するようにロックを掛けることができる。
【００２７】
ＭＴトレイ２２は、弓形の薄板状のプレートに枠が設けられた筐体であって、光ファイバの接続を切り替えるための接続部（切り替え接続部）用固定部３０が中央の位置に設けられている。切り替え接続部用固定部３０は、互いに平行に形成された複数のリブ３０ａによって構成されており、これらのリブ３０ａの間に、一対のＭＴコネクタを嵌め込んで固定することができる。また、この切り替え接続部用固定部３０に隣接した枠には、切り替え接続部用固定部３０に固定したＭＴコネクタが外れてしまうことを防止するための蓋３１が設けられている。この蓋３１は、切り替え接続部用固定部３０に対して開閉可能であり、閉じた状態でロックを掛けることができる。
また、弓形に形成されたＭＴトレイ２２の両端部分は、ドロップトレイ２１との間で光ファイバを通すための通路２９である。
【００２８】
また、ドロップトレイ２１に対してＭＴトレイ２２が開閉する側は、作業者が光ファイバの配線等を行う作業側となる。そのため、図１及び図４に示す（図４中、下方向が作業側）ように、スロットロッド２は、作業側から離反する方向に湾曲させて固定すると良い。
【００２９】
次に、光ファイバケーブル１やドロップケーブル４の光ファイバ心線を、切り替え接続用収納部２３内に配線して収納する形態について説明する。
まず、図５に示すように、光ファイバケーブル１のスロットロッド２から取り出された光ファイバ心線１ａと、ＭＴコネクタ付き心線６とを接続する。接続方法は、融着接続法やメカニカルスプライス法が用いられる。ここでは、融着接続法を用いる。
【００３０】
ここで、本実施形態において用いられるＭＴコネクタ付き心線の一例を、図６に示す。
図６に示すように、ＭＴコネクタ付き心線６は、補強チューブによって保護された光ファイバ心線７の一端側が、ＭＴコネクタ８に接続された構成である。なお、光ファイバ心線７は、単心のものであっても、複数心のテープ状のものであっても良い。本実施形態では、光ファイバ心線７とＭＴコネクタ８を合わせた長さが、９００ｍｍに設定されている。
【００３１】
光ファイバ心線１ａとＭＴコネクタ付き心線６とを接続して形成された融着接続部９は、図５に示す奥側（図中上側）に取り付けられた接続部固定部２５に固定して収納し、光ファイバ心線１ａの余長は、曲げ半径３０ｍｍ以上で蛇行させ収納する。ＭＴコネクタ付き心線６は、ＭＴコネクタ８をＭＴトレイ２２の切り替え接続部用固定部３０に固定して収納し、光ファイバ心線７は曲げ半径３０ｍｍ以上を確保しつつドロップトレイ２１の内部で大きく輪を作るようにして収納する。
【００３２】
次に、図７に示すように、ドロップケーブル４から露出された光ファイバ心線４ａと、ＭＴコネクタ付き心線６とを接続する。なお、この図７では、図５に示した光ファイバ心線１ａとＭＴコネクタ付き心線６の図示を省略している。
そして、光ファイバ心線４ａとＭＴコネクタ付き心線６とを接続して形成された融着接続部９は、図７に示す手前側（図中下側）に取り付けられた接続部固定部２５に固定して収納し、光ファイバ心線４ａの余長は、曲げ半径３０ｍｍ以上で蛇行させ収納する。ＭＴコネクタ付き心線６は、ＭＴコネクタ８をＭＴトレイ２２の切り替え接続部用固定部３０に固定して収納し、光ファイバ心線７は曲げ半径３０ｍｍ以上を確保しつつドロップトレイ２１の内部で大きく輪を作るようにして収納する。
【００３３】
このように、光ファイバケーブル１とドロップケーブル４の光ファイバ心線１ａ，４ａにそれぞれＭＴコネクタ付き心線６を接続した後、図８に示すように互いのＭＴコネクタ８を嵌合して接続する。接続したＭＴコネクタ８は、ＭＴトレイ２２に収納する。次いで、蓋３１（図２参照）を閉じて、図８の奥側に示すように、ドロップトレイ２１にカバー３２を取り付ける。カバー３２には、心線通過用切り欠き３２ａが形成されており、ドロップトレイ２１とＭＴトレイ２２との間の光ファイバ心線の通過及び移動を可能としている。
【００３４】
最後に、ＭＴトレイ２２は、カバー３２を取り付けたドロップトレイ２１に向けて回転させ、ドロップトレイ２１の上部に配置する。この状態において、ＭＴトレイ２２はドロップトレイ２１と連結されて層状に配置されるため、２つのトレイを有する切り替え接続部用固定部３０の収納スペースをコンパクトにすることができ、クロージャ１０のスリーブを小さくすることができる。
【００３５】
また、上記の説明では、光ファイバケーブル１とドロップケーブル４との間の光ファイバ心線１ａ，４ａの接続が１本のみであったが、複数本の光ファイバ心線を接続することもできる。その場合、ＭＴトレイ２２にはＭＴコネクタ８が多数収納され、相互の接続先を切り替えることが容易である。
接続を切り替える際には、図８に示すように、ＭＴコネクタ付き心線６の余長部分をドロップトレイ２１から引き出すようにして、ＭＴコネクタ８を手前に引き出す。なおその際、カバー３２が取り付けられたままであっても、この引き出し作業は支障なく行うことができる。
【００３６】
以上説明したように、本実施形態に示した切り替え接続部用固定部３０によれば、光ファイバ心線の余長を収納する部分（ドロップトレイ２１）と、切り替え接続部を収納する部分（ＭＴトレイ２２）とを分けた構成としているため、接続の切り替えを行う際には、光ファイバ心線の再配線を行わずに、ＭＴトレイ２２においてＭＴコネクタ８の接続を切り替えることができる。したがって、中間後分岐した光ファイバ心線の切り替え作業が容易である。また、光ファイバケーブル１，４側の光ファイバ心線１ａ，４ａの余長部分を引き出す必要がないため、確実に接続の切り替えを行うことができる。
【００３７】
また、本実施形態では切り替え接続部用固定部３０が２つ並設されており、それぞれ同様に配線を行うことができる。また、切り替え接続部用固定部３０は幾つ設けられていても良い。また、１つのドロップトレイに対してＭＴトレイが複数設けられていても良い。
【００３８】
一方、光ファイバケーブル１や分岐用光ファイバケーブル３から引き出され、ベース板１１に形成された配線穴１９を通してベース板１１の下方に配線された光ファイバ心線１ａ，３ａは、ベース板１１の下方に設置された収納トレイ３５（図１参照）内に配線されて収納される。本実施形態において、収納トレイ３５は、複数が積層された状態で設けられている。
【００３９】
図９に、収納トレイ３５の上面図を示す。
収納トレイ３５は、薄板状のプレートに枠３６が設けられた筐体であって、プラスチックまたは金属により形成されている。枠３６によって画成された余長収納部３８は、出入口３９から導入した光ファイバ心線３ａ，４ａを収納するためのスペースである。収納された光ファイバ心線３ａ，４ａの余長は、光ファイバ心線３ａ，４ａを相互に融着接続する際の作業性を確保するものである。光ファイバ心線３ａ，４ａの融着接続を行った場合には、余長収納部３８内に形成された融着固定部４０にその融着接続部９が固定される。
【００４０】
また、枠３６の内側には、余長収納部３８に収納された光ファイバ心線３ａ，４ａが上方へ飛び出すことを防ぐために、爪３７が複数形成されている。
枠３６の外側の一方（図中上側）には、収納トレイ３５同士を回転させて開閉するためのヒンジ４２が形成されている。また、枠３６の外側の他方（図中下側）には、収納トレイ３５の解放側（図中下側）をベース板１１に対して吊り下げるためのストラップ係止用の突部４１が形成されている。
【００４１】
なお、図９に示した形態では、長手方向の一方側（図中左側）の出入口３９からのみ光ファイバ心線３ａ，４ａを導入させているが、他方側（図中右側）の出入り口３９からも光ファイバ心線を導入して収納しても良い。
また、融着接続部９は、光ファイバ心線にテープ状のものを用いて、多心一括接続した接続部としても良い。
【００４２】
次に、収納トレイ３５の開閉について説明する。
図１０及び図１１に示すように、各収納トレイ３５は互いのヒンジ４２で回転可能に連結されており、ベース板１１に対しても回転できるように連結されている。そして、主に収納トレイ内３５の配線を行う場合には、その収納トレイ３５が作業者側（図中左側）に解放されるように開く。そして、配線の済んだ収納トレイ３５から順に上方に回転させて、ベース板１１に吊り下げられたストラップ４３に上記の突部４１を係止して、ベース板１１に向かって閉じる。なお、収納トレイ３５内に配線する際に必要となる光ファイバ心線の余長は、分岐用光ファイバケーブル３から長く引き出すことによって容易に得ることができる。
【００４３】
なお、本実施形態では、収納トレイを回転して開閉する形態としたが、他の形態であっても良い。例えば、トレイ棚を設けてその内部に収納トレイを配置し、作業者側またはその反対側へ収納トレイをスライドさせ、収納トレイを開閉しても良い。
【００４４】
以上説明したように、特に接続先を変更する予定のない光ファイバ心線は、ベース板１１の下方に設けられた収納トレイ３５内に収納することができる。これにより、切り替え接続部用固定部３０に収納する光ファイバ心線を必要最低限の数のみにすることができ、切り替え接続部用固定部３０によって接続を切り替える際の作業性を良好に保つことができる。
【図面の簡単な説明】
【００４５】
【図１】本発明に係る中間後分岐用クロージャの一実施形態を示す斜視図である。
【図２】図１に示した切り替え接続部用固定部の上面図である。
【図３】図２に示した接続部固定部の正面図である。
【図４】図１に示したスロットロッドの固定を示す模式図である。
【図５】図１に示した切り替え接続部用固定部に光ファイバを配線する際の上面図である。
【図６】本発明のクロージャに用いられるＭＴコネクタ付き心線を示す平面図である。
【図７】図１に示した切り替え接続部用固定部に光ファイバを配線する際の上面図である。
【図８】図１に示した切り替え接続部用固定部に光ファイバを配線した状態を示す斜視図である。
【図９】図１に示した収納トレイの上面図である。
【図１０】図１に示した収納トレイを開閉する状態を示す側面図である。
【図１１】図１に示した収納トレイを開閉する状態を示す側面図である。
【図１２】従来の中間後分岐用クロージャの一例を示す模式図である。
【符号の説明】
【００４６】
１    幹線系の光ファイバケーブル
１ａ  光ファイバ心線
３    分岐用光ファイバケーブル
３ａ  光ファイバ心線
４    ドロップケーブル
４ａ  光ファイバ心線
１０  中間後分岐用クロージャ
１１  ベース板
１２  フレームエンド
１３  外被把持具
１４  端面シール
２０  固定バー
２１  ドロップトレイ（余長収納トレイ）
２２  ＭＴトレイ（切り替え接続部収納トレイ）
２３  切り替え接続部用固定部
２４  余長処理空間
２５  接続部固定部
３５  収納トレイ
【図１】
2005114831.tif 000003
【図２】
2005114831.tif 000004
【図３】
2005114831.tif 000005
【図４】
2005114831.tif 000006
【図５】
2005114831.tif 000007
【図６】
2005114831.tif 000008
【図７】
2005114831.tif 000009
【図８】
2005114831.tif 000010
【図９】
2005114831.tif 000011
【図１０】
2005114831.tif 000012
【図１１】
2005114831.tif 000013
【図１２】
2005114831.tif 000014